(57)【要約】【課題】室外熱交換器に溜まった塵埃を自動的に除去することができ、初期の熱交換効率状態に戻すことが可能な空気調和機を提供すること。【解決手段】室外機本体２０に設けられた室外熱交換器１０と、送風ファンユニット１１とを備え、室外熱交換器１０を自動清掃する熱交換器清掃装置１を搭載した空気調和機において、室外熱交換器１０に付着する塵埃及び室外熱交換器１０に発生する霜を除去する熱交換器清掃装置１を室外熱交換器１０の風上側に具備したことにより、初期の熱交換効率状態に戻すことが可能となり、また除霜運転時間の短縮化が可能となる。【選択図】図１
2012052679.tif 000002
【特許請求の範囲】
【請求項１】
室外機に設けられた室外熱交換器と、送風ファンと、前記室外熱交換器を自動清掃する熱交換器清掃装置と、を備えた空気調和機であって、
前記室外熱交換器に付着する塵埃及び／又は前記室外熱交換器に発生する霜を除去する熱交換器清掃装置を前記室外熱交換器の風上側に具備したことを特徴とする空気調和機の室外機。
【請求項２】
前記熱交換器清掃装置は、室外熱交換器を構成するフィンに接触するブラシ等の清掃具を設けた清掃ユニットを具備したことを特徴とする請求項１に記載の空気調和機の室外機。
【請求項３】
前記清掃ユニットを前記室外熱交換器のフィンの長手方向に沿って移動可能にしたことを特徴とする請求項２に記載の空気調和機の室外機。
【請求項４】
前記清掃ユニットのブラシに付着した塵埃を除去する櫛状突起部を備えたことを特徴とする請求項３に記載の空気調和機の室外機。
【請求項５】
前記櫛状突起部品を前記室外熱交換器の下方に備えたことを特徴とする請求項４に記載の空気調和機の室外機。
【請求項６】
前記清掃ユニットを駆動する複数の駆動ユニットを備えたことを特徴とする請求項５に記載の空気調和機の室外機。
【請求項７】
前記複数の駆動ユニットを支持する複数の支持部材を備えたことを特徴とする請求項６に記載の空気調和機の室外機。
【請求項８】
前記熱交換器清掃装置を前記室外熱交換器の吸込み側の両端板に固定して構成したことを特徴とする請求項７に記載の空気調和機の室外機。
【請求項９】
前記空気調和機の空調運転が終了したときに、前記室外熱交換器の風上側に付着した塵埃を前記熱交換器清掃装置で自動清掃することを特徴とする請求項１に記載の空気調和機の室外機。
【請求項１０】
前記空気調和機の暖房運転中に、前記室外熱交換器の風上側に発生した霜を前記熱交換器清掃装置で自動除去することを特徴とする請求項１に記載の空気調和機の室外機。
【発明の詳細な説明】
【技術分野】
【０００１】
本発明は、室外機の熱交換器の自動清掃装置を備えた空気調和機に関するものである。
【背景技術】
【０００２】
従来のこの種の空気調和機の構成として、図６に示すような底板上に熱交換器および送風ファンが配置され、前記熱交換器に対向して同熱交換器を清掃する清掃ユニット１０６が設けられ、前記底板に被着された外胴の上面部にフランジを備えた天板が被着されてなる空気調和機の室外機で、前記清掃ユニット１０６が、前記熱交換器に当接するブラシ１０７を備えた清掃部１０８と、同清掃部１０８を上下に移動させる駆動部１０９および移動可能に支持する支持部１０１０とを備えたものが知られている（例えば、特許文献１参照）。また、特許文献１は、前記清掃ユニット１０６の清掃動作を停止した際、前記清掃部１０６を前記フランジに対向するように位置させるようにしたもので、前記清掃ユニット１０６が、前記熱交換器の風下側に対向配置されてなることを特徴としている。
【先行技術文献】
【特許文献】
【０００３】
【特許文献１】特開２００９−８３６６号公報
【発明の概要】
【発明が解決しようとする課題】
【０００４】
しかしながら、前記従来の構成では、室外機を大型化させないために、熱交換器清掃装置を室外熱交換器の風下側に設置している。しかし、空気調和機本体の運転時に吸い込まれた多くの塵埃は室外熱交換器の風上側に付着し、風下側に付着する塵埃の量は限られていた。そのため従来技術の構成では、室外熱交換器の風下側に付着したわずかな塵埃は除去することはできるが、風上側に付着した塵埃を除去することができないため室外熱交換器清掃の効果は小さいという課題を有していた。また、空気調和機本体の暖房運転時に室外機熱交換器の風上側表面に発生する霜の除去に対しては、効果は期待できないという課題を有していた。
【０００５】
本発明は、前記従来の課題を解決するもので、室外熱交換器に付着した塵埃を効率的に除去することができ初期の熱交換効率状態に戻すことが可能になり、また前記室外熱交換器の表面に発生する霜を除去することができ除霜運転時間の短縮化も可能になる空気調和機を提供することを目的とする。
【課題を解決するための手段】
【０００６】
前記従来の課題を解決するために本発明の空気調和機は、室外機に設けられた室外熱交換器と、送風ファンと、室外熱交換器を自動清掃する熱交換器清掃装置と、を備えた空気調和機であって、室外熱交換器に付着する塵埃及び／又は室外熱交換器に発生する霜を除去する熱交換器清掃装置を室外熱交換器の風上側に具備したものである。
【０００７】
これによって、前記室外熱交換器の風上側に付着した塵埃及び前記室外熱交換器に発生する霜を除去することが可能となる。
【０００８】
また、本発明の空気調和機の前記熱交換器清掃装置は、室外熱交換器を構成するフィンに接触するブラシ等の清掃具を設けた清掃ユニットを具備したものである。
【０００９】
これによって、前記室外熱交換器に付着した塵埃及び前記室外熱交換器に発生する霜を
容易に除去することが可能となる。
【００１０】
また、本発明の空気調和機は、前記清掃ユニットを前記室外熱交換器のフィンの長手方向に沿って移動可能にしたものである。
【００１１】
これによって、前記室外熱交換器の全面に付着した塵埃及び前記室外熱交換器に発生する霜を除去することが可能となる。
【００１２】
また、本発明の空気調和機は、前記清掃ユニットのブラシに付着した塵埃を除去する櫛状突起部を備えたものである。
【００１３】
これによって、前記室外熱交換器に付着した塵埃及び前記室外熱交換器に発生する霜を除去した後の前記ブラシに付着した塵埃及び霜を除去することが可能となり、常に前記ブラシを初期状態に保つことができる。
【００１４】
また、本発明の空気調和機は、前記櫛状突起部品を前記室外熱交換器の下方に備えたものである。これによって、前記ブラシに付着した塵埃及び霜を除去した後の塵埃及び霜が、前記室外熱交換器へ再び付着しないようにすることが可能となる。
【００１５】
また、本発明の空気調和機は、前記清掃ユニットを駆動する複数の駆動ユニットを備えたものである。これによって、前記清掃ユニットの上下駆動をスムースに作動させることが可能となる。
【００１６】
また、本発明の空気調和機は、前記複数の駆動ユニットを支持する複数の支持部材を備えたものである。これによって、前記複数の駆動ユニットの位置決め及び前記熱交換器清掃装置の構成強度の確保が可能となる。
【００１７】
また、本発明の空気調和機は、前記熱交換器清掃装置を前記室外熱交換器の吸込み側の両端板に固定して構成したものである。これによって、前記熱交換器清掃装置と前記室外熱交換器との位置合わせの安定化を図ることが可能となる。
【００１８】
また、本発明の空気調和機は、前記空気調和機の空調運転が終了したときに、前記室外熱交換器の風上側に付着した塵埃を前記熱交換器清掃装置で自動清掃するものである。これによって、前記空気調和機の空調運転時の性能確保が可能となる。
【００１９】
また、前記空気調和機の暖房運転中に、前記室外熱交換器の風上側に発生した霜を前記熱交換器清掃装置で自動除去するものである。これによって、前記空気調和機の除霜運転時間の短縮化が可能となる。
【発明の効果】
【００２０】
本発明の空気調和機は、室外熱交換器に付着する塵埃を除去及び／又は前記室外熱交換器に発生する霜を除去する熱交換器清掃装置を前記室外熱交換器の風上側に具備したことにより、初期の熱交換効率状態に戻すことが可能となり、基本性能を維持することができる。また、除霜運転時間の短縮化が可能になり、暖房運転の快適性向上が図れる空気調和機を提供することができる。
【図面の簡単な説明】
【００２１】
【図１】本発明の実施形態における空気調和機の室外機の三面図（正面、右側面、上面）
【図２】図１のＡ−Ａによる断面図
【図３】同空気調和機の運転状態の三面図（正面、右側面、上面）
【図４】同空気調和機の背面図
【図５】同空気調和機の熱交換器清掃装置の三面図（正面、右側面、上面）
【図６】従来の空気調和機の室外機の要部説明図
【発明を実施するための形態】
【００２２】
第１の発明は、室外機に設けられた室外熱交換器と、送風ファンと、室外熱交換器を自動清掃する熱交換器清掃装置と、を備えた空気調和機であって、室外熱交換器に付着する塵埃及び／又は室外熱交換器に発生する霜を除去する熱交換器清掃装置を室外熱交換器の風上側に具備することにより、前記室外熱交換器の風上側に付着した塵埃及び前記室外熱交換器に発生する霜を除去することが可能となり、初期の熱交換効率状態に戻すことができ、また除霜運転時間の短縮化も図ることができる。
【００２３】
第２の発明は、前記熱交換器清掃装置に、室外熱交換器を構成するフィンに接触するブラシ等の清掃具を設けた清掃ユニットを具備することにより、前記室外熱交換器に付着した塵埃を容易に除去することが可能となり、常に前記室外熱交換器の吸込み側の表面を初期状態に戻すことができる。
【００２４】
第３の発明は、前記清掃ユニットを前記室外熱交換器のフィンの長手方向に沿って移動可能にすることにより、前記室外熱交換器の全面に付着した塵埃を除去することが可能となり、前記室外熱交換器の吸込み側の表面の全面を初期状態に戻すことができる。
【００２５】
第４の発明は、前記清掃ユニットのブラシに付着した塵埃を除去する櫛状突起部品を備えることにより、前記室外熱交換器に付着した塵埃を除去した後の前記ブラシに付着した塵埃を除去することが可能となり、常に前記ブラシを初期状態に保つことができる。
【００２６】
第５の発明は、前記櫛状突起部を前記室外熱交換器の下方に備えることにより、前記ブラシに付着した塵埃を除去した後の塵埃が、前記室外熱交換器へ再び付着しないようにすることが可能となり、塵埃を前記室外熱交換器の外へ掻き出すことができる。
【００２７】
第６の発明は、前記清掃ユニットを駆動する複数の駆動ユニットを備えることにより、前記清掃ユニットの上下駆動をスムースに作動させることが可能となり、安定した駆動を提供することができる。
【００２８】
第７の発明は、前記複数の駆動ユニットを支持する複数の支持部材を備えることにより、前記複数の駆動ユニットの位置決め及び前記熱交換器清掃装置の構成強度の確保が可能となり、剛性を保った状態で組み付けができ作業性の向上を図ることができる。
【００２９】
第８の発明は、前記熱交換器清掃装置を前記室外熱交換器の吸込み側の両端板に固定して構成することにより、前記熱交換器清掃装置と前記室外熱交換器との位置合わせの安定化が可能となり、前記室外熱交換器の吸込み側の表面と前記清掃ユニットのブラシとの隙間を一定に保つことができる。
【００３０】
第９の発明は、前記空気調和機の空調運転が終了したときに、前記室外熱交換器の風上側に付着した塵埃を前記熱交換器清掃装置で自動清掃することにより、前記空気調和機の空調運転開始前に初期の熱交換効率状態に戻すことが可能となり、前記空気調和機の空調運転時の性能維持を保つことができる。
【００３１】
第１０の発明は、前記空気調和機の暖房運転中に、前記室外熱交換器の風上側に発生した霜を前記熱交換器清掃装置で自動除去することにより、前記空気調和機の除霜運転時間
の短縮化が可能となり、前記空気調和機の暖房運転の快適性向上を図ることができる。
【００３２】
以下、本発明の実施の形態について、図面を参照しながら説明する。なお、この実施の形態によって本発明が限定されるものではない。
【００３３】
（実施の形態１）
図１は本発明の実施形態における空気調和機の三面図（ここでは熱交換器側を正面としている）で清掃ユニット２の作動途中の状態を示すもので、図３は同空気調和機本体の運転状態の三面図、図４は同空気調和機の背面図を示すものである。
【００３４】
図１、３、４において、室外機本体２０は、図に示すような構成であり、屋外の地面上に設置され、室内機の制御部に制御され駆動する冷凍サイクルユニット１９と、前記冷凍サイクルユニット１９に繋がる室外熱交換器１０と熱交換する為の空気を室外機本体２０内に吸い込み、吹き出す送風ファンユニット１１を備えている。さらに、前記冷凍サイクルユニット１９、室外熱交換器１０、送風ファンユニット１１の主要部品を支える基板１６と、外観部品として前板１７、吹出しグリル１８、天板１３、右側板１４、左側板１５を備えている。
【００３５】
前記室外熱交換器１０は、多数枚のフィンを狭小の間隙を存して縦方向に並設し、これらフィンを貫通し、かつ蛇行状に連通される熱交換パイプとからなる。この室外熱交換器１０は、前側熱交換器部と側面熱交換器部とでＬ字状に形成される。
【００３６】
以上のように構成された室外機本体２０において、熱交換器清掃装置１の構成を説明する。前記室外熱交換器１０の風上側表面のＬ字形状に沿うように清掃ユニット２を設けこの清掃ユニット２を備えた熱交換器清掃装置１は、前記室外熱交換器１０の風上側に固定されている。
【００３７】
次に熱交換器清掃装置１の清掃動作について説明する。図３は、空気調和機の運転時の熱交換器清掃装置１の待機状態を示す図である。このとき清掃ユニット２は室外熱交換器１０の上部及び天板１３の下部位置に収納された状態になっている。そして、前記清掃ユニット２が、室外熱交換器１０の上端から下端へ向かって移動を開始し、前記室外熱交換器１０に付着している塵埃を掻き落し、掻き落された塵埃は室外機本体２０の外に落下する。図１に示す熱交換器清掃装置１の作動途中状態から、室外熱交換器１０の下端まで行ったところで折り返して上端へ向かって移動するもので、前記室外熱交換器１０の上部に戻ったところで、室外熱交換器１０に対する清掃動作を停止するものである。
【００３８】
以上のように、本実施の形態においては室外機に設けられた室外熱交換器と、送風ファンとを備え、室内を冷房、暖房又は除湿する空調運転を行う空気調和機において、前記室外熱交換器に付着する塵埃を除去する熱交換器清掃装置を具備することにより、前記室外熱交換器に付着した塵埃を除去することが可能となり、初期の熱交換効率状態に戻すことができる。
【００３９】
（実施の形態２）
図２は、図１のＡ−Ａによる詳細断面図である。図２において、前記室外熱交換器１０を構成するフィンに接触するように、清掃ユニット２にブラシ２ａを設けたものであり、前記室外熱交換器１０に付着した塵埃を容易に除去することが可能となり、常に前記室外熱交換器１０の吸込み側の表面を初期状態に戻すことができる。
【００４０】
（実施の形態３）
図１、２において、前記清掃ユニット２を前記室外熱交換器１０のフィンの長手方向に
沿って前記室外熱交換器１０の上端から下端へ向かって移動することにより、前記室外熱交換器１０の全面に付着した塵埃を容易に除去することが可能となり、前記室外熱交換器１０の吸込み側の表面の全面を初期状態に戻すことができる。
【００４１】
（実施の形態４）
図１、２において、前記室外熱交換器１０の吸込み側表面に櫛状突起部品７を設けたものであり、前記清掃ユニット２の前記ブラシ２ａで掻き落した後の塵埃の一部が前記ブラシ２ａに残った場合に、その塵埃を除去するものである。また、前記清掃ユニット２は、前記室外熱交換器１０の下端へ向かって移動し、前記櫛状突起部品７を通過した後、室外熱交換器１０の下端まで行くと折り返して上端へ向かって移動し、再び前記櫛状突起部品７を通過した時に、ブラシ２ａに残った塵埃を除去することにより、常に前記ブラシを初期状態に保つことができる。
【００４２】
（実施の形態５）
図１、２において、前記櫛状突起部を前記室外熱交換器１０の下方に備えることにより、前記ブラシ２ａに付着した塵埃を除去した後の塵埃が、前記室外熱交換器１０へ再び付着しないようにすることが可能となり、塵埃を前記室外熱交換器１０の外へ掻き出すことができる。
【００４３】
（実施の形態６）
図１において、前記熱交換器清掃装置１に前記清掃ユニット２を駆動するための複数の駆動ユニット３、４を備え、前記駆動ユニット（Ａ）３、駆動ユニット（Ｂ）４の内部には駆動ワイヤー（Ａ）３ａと駆動ワイヤー（Ｂ）４ａをそれぞれ設けたものである。また、この複数の駆動ワイヤー３ａ、４ａと前記清掃ユニット２の両端を連結固定することにより、前記清掃ユニット２の上下駆動をスムースに作動させることが可能となり、安定した駆動を提供することができる。
【００４４】
（実施の形態７）
図５において、前記駆動ユニット（Ａ）３と駆動ユニット（Ｂ）４の上部に支持部材（上）５を設け、下部に支持部材（下）６を設けることにより、前記複数の駆動ユニット３、４の位置決め及び前記熱交換器清掃装置１の構成強度の確保が可能となり、剛性を保った状態で組み付けができ作業性の向上を図ることができる。
【００４５】
（実施の形態８）
図１において、前記熱交換器清掃装置１は、前記室外熱交換器１０の吸込み側の両端板に支持固定することにより、前記室外熱交換器１０との位置決め及び剛性の確保が図れ、前記室外熱交換器１０の吸込み側の表面と前記清掃ユニット２のブラシ２ａとの隙間を一定に保つことが可能となり、品質の安定化を図ることができる。
【００４６】
（実施の形態９）
図３〜図１において、前記空気調和機の空調運転が終了したときに、熱交換器清掃装置１に作動開始信号が送られ、清掃ユニット２が作動を開始するものであり、運転停止中に前記室外熱交換器１０の自動清掃が完了することにより、前記空気調和機の空調運転開始時には、初期の熱交換効率状態を保った状態で空調運転ができる。
【産業上の利用可能性】
【００４７】
以上のように、本発明にかかる空気調和機は、室外熱交換器に付着する塵埃を除去する熱交換器清掃装置を具備したことにより、初期の熱交換効率状態に戻すことが可能となるので、室外熱交換器を搭載した他の空気調和機にも適用できる。
【符号の説明】
【００４８】
１  熱交換器清掃装置
２  清掃ユニット
２ａ  ブラシ
３  駆動ユニット（Ａ）
３ａ  駆動ワイヤー（Ａ）
４  駆動ユニット（Ｂ）
４ａ  駆動ワイヤー（Ｂ）
５  支持部材（上）
６  支持部材（下）
７  櫛状突起部品
１０  室外熱交換器
１１  送風ファンユニット
１３  天板
１４  右側板
１５  左側板
１６  基板
１７  前板
１８  吹出しグリル
１９  冷凍サイクルユニット
２０  室外機本体
【図１】
2012052679.tif 000003
【図２】
2012052679.tif 000004
【図３】
2012052679.tif 000005
【図４】
2012052679.tif 000006
【図５】
2012052679.tif 000007
【図６】
2012052679.tif 000008